(57)【特許請求の範囲】
【請求項１】
水質の各計測信号をシーケンサで計測値に変換し、グラフィック操作パネルに画面表示し、グラフィック操作パネルが画面の切り換えによりシーケンサ内部で使用する数値の入力や保守工程の実施など種々の操作を可能とした配水モニタの計測器補正方法であって、
校正画面中に校正対象の計測器の計測値をトレンドグラフ画面を切り換え表示させるキー手段を設けて必要時に画面表示させ、
トレンドグラフ画面中に校正画面に戻るキー手段を設けて必要時校正画面へ戻させ、
トレンドグラフ画面で表示されるグラフを、横軸が時間，縦軸を計測値とし、縦軸の計測範囲をゼロ・スパン校正時にゼロ点及びスパン値付近で値を確認できるようにゼロ・スパン値を超えて目盛りづけをし、
トレンドグラフ画面の目盛りをみて計測器の校正操作をなしうるようにしたことを特徴とした配水モニタの計測器校正操作方法。
【請求項２】
トレンドグラフ画面には複数種の計測信号のトレンドグラフを表示することを特徴とする請求項１記載の配水モニタの計測器校正操作方法。
【発明の詳細な説明】
【０００１】
【産業上の利用分野】
本発明は、上水道の配水施設での配水水質を２４時間連続して計測する配水モニタの計測器校正操作方法に関する。
【０００２】
【従来の技術】
上水道の水質管理システム構成は、図１４に示すように、各配水施設の配水モニタ（局）１からの水質信号が配水水質中央監視装置２１に集められ、水質管理モニタ２５で水質が監視される。
【０００３】
配水モニタ１は水質のＰＨ，残塩濃度，濁度，色度，導電率，温度，水圧などを測定する水質計測器からなる水質測定部１１と装置機能をコントロールするコントロールユニット部１２、および中央監視所２へデータを伝送するためのデータ伝送部１３と、コントロールユニット部１２と組み合わせて配水モニタの計測状態閲覧や各種設定値の設定ならびに保守工程の選択実施等が可能となる機能を持つグラフィック操作パネル（タッチパネル）等からなり、耐環境性キュービクル構造で、屋外設置が可能となっている。
【０００４】
配水モニタのシステムは図１に示すように、水質計器の検出器１１ａからの検出信号を水質計器の変換器１１ｂを介してシーケンサ１２ａに入力し、シーケンサの内部で計測値に変換される。この計測値はグラフィック操作パネル１４に画面表示される。また、データ伝送モデム１３ａによるモデム伝送により計測信号及び警報信号が中央監視室で監視可能となっている。
【０００５】
グラフィック操作パネル１４は画面の切り換えによりシーケンサ１２ａ内部で使用する数値の入力や保守工程の実施など種々の操作が可能である。また、制御弁，ファン，ヒータ，ポンプ等の機器１６はシーケンサ１２ａからの制御信号により動作するようになっている。
【０００６】
計測器の保守・校正時には、校正段階に応じた制御弁等の機器１６のＯＮ／ＯＦＦ操作があり、これについては、保守・校正工程での画面（校正画面）で項目を選択することによって複雑な各機器の切り換えすることなしに操作可能にしている。
【０００７】
水質モニタの機能は主に以下のとおりである。
【０００８】
１）水温、濁度、色度、ｐＨ、残留塩素、導電率、水圧等の水質項目をオンラインで自動計測する。
【０００９】
２）水質計器の自動校正機能により、保守周期を長期化可能している。
【００１０】
３）自己診断機能により、計測器の故障診断が可能である。
【００１１】
４）断水の際には水圧計の水圧計測値低下により断水を検知する。
【００１２】
５）計測値に上下限値を設定することにより、上下限値を逸脱した場合には、上下限の逸脱警報を出力する。
【００１３】
６）計測データや警報等の状態信号を中央監視所へテレメータや専用回線等により遠隔伝送する。
【００１４】
７）試料水消費量は少水量（３００〜５００ｍｌ／分程度）で連続計測する。
【００１５】
８）水質計検出部および測定用配管からなる水質測定室とコントロールユニット部、データ伝送部、グラフィック操作パネルおよび水質計変換器等の電気機器を集合設置した電気制御室とは中仕切りで完全分離され、電気機器に悪影響を及ぼす水分を遮断している。
【００１６】
９）屋外設置を可能とするため、遮熱板を取り付けた構造であり、さらに、盤内（水質測定室、電気制御室各々）は、ファンおよびヒーターにより適正温度範囲となるよう自動制御される。
【００１７】
また、配水モニタは、従来の巡回方式による水質試験に代わって水質を常時計測監視するため、水質計測値の精度と安定性が要求される。このため、おおむね３ヶ月に一度の周期で水質計の指示校正や点検等のメンテナンスを実施する。
【００１８】
メンテナンスの際には、複数の配水施設（配水池、配水管網内）に設置された配水モニタを順次巡回して実施することから、配水モニタ側で作業効率向上のための機能を持たせている。その機能を１０）に記述する。
【００１９】
１０）グラフィック操作パネルを用いて、この画面上からの動作指令によりコントロールユニット部から制御出力により配水モニタ内の機器を容易に動作可能となる。また、コントロールユニット部に入力された計測信号を画面表示することも可能である。このグラフィック操作パネルを用いて、複数の保守操作に関する画面を切り換えて表示使用することによりメンテネンス性の向上をはかる。
【００２０】
【発明が解決しようとする課題】
配水モニタでは、おおむね３ヶ月に一度の周期で実施する水質計の指示校正や点検等のメンテナンスにより、水質計測精度管理と配水モニタ内機器の性能管理を行う。この際に、表１に示す内容で測定項目が７項目の場合の指示値の確認および校正を実施する。この確認および校正の操作は、計測精度を維持するために必要不可欠なものである。
【００２１】
【表１】
0003551514.tif 000002
【００２２】
校正液による計測器の指示値校正では、校正液が試料水と置き換えされる時間や計測器の応答時間等を考慮して指示値が校正状態で安定したかを、校正者が計測器指示値の変化を確認しながら判断しなければならない。グラフィック操作パネル上にも測定値は表示できるが、いずれにしても校正者が指示値の安定点を判断する必要がある。校正者自身が安定点を判断するため、校正者が異なることにより校正値のズレが生ずる可能性がある。また、メンテナンス時には、複数の計測器について指示値確認や校正を実施するために、効率よく作業を進める必要がある。
【００２３】
一方、配水モニタで装備しているグラフィック操作パネルは、画面の切り換えによりシーケンサ内部で使用する数値の入力や保守工程の実施など種々の操作が可能であり、以下の機能を持つ。
【００２４】
１）水質測定値表示：日報表示、トレンドグラフ
２）設定数値表示と入力変更：上下限設定値、自己診断時の判断基準値
３）保守工程実施項目選択
４）盤内環境表示
５）機器動作状態表示
しかしながら、校正時に指示値が安定したか判断するための方法がない。
【００２５】
本発明は、従来のこのような問題点に鑑みてなされたものであり、その目的とするところは、計測器の校正時に指示値が安定したかを即座に判断しうる配水モニタの計測器校正操作方法を提供することにある。
【００２６】
【課題を解決するための手段及び作用】
上記目的を達成するために、本発明における配水モニタの計測器校正操作方法は、
水質の各計測信号をシーケンサで計測値に変換し、グラフィック操作パネルに画面表示し、グラフィック操作パネルが画面の切り換えによりシーケンサ内部で使用する数値の入力や保守工程の実施など種々の操作を可能とした配水モニタの計測器補正方法であって、
校正画面中に校正対象の計測器の計測値をトレンドグラフ画面を切り換え表示させるキー手段を設けて必要時に画面表示させ、トレンドグラフ画面中に校正画面に戻るキー手段を設けて必要時校正画面へ戻させ、トレンドグラフ画面で表示されるグラフを、横軸が時間，縦軸を計測値とし、縦軸の計測範囲をゼロ・スパン校正時にゼロ点及びスパン値付近で値を確認できるようにゼロ・スパン値を超えて目盛りづけをし、トレンドグラフ画面の目盛りをみて計測器の校正操作をなしうるようにしたことを特徴とする。
【００２７】
【実施例】
図１の配水モニタにおいて、グラフィック操作パネル１４で水質計校正時の計測信号の時間変化を表すグラフを表示する画面（トレンドグラフ画面）を作成しておき必要に応じて画面表示させる。グラフィック操作パネルでの表示は、シーケンサに入力された計測信号を画面のグラフの枠内に表示する。計測器の保守・校正時には、校正段階に応じた電磁弁等の機器のＯＮ／ＯＦＦ操作があり、これについては、従来と同様に保守・校正工程での画面（校正画面）で項目を選択することによって複雑な各機器の切り換えすることなしに操作可能とする。
【００２８】
この校正画面中に校正対象とする計測器の計測値トレンドグラフ画面を切り換え表示させるキーを設けて、必要時に画面表示できるものとする。また、トレンドグラフ画面では、校正画面へ戻るキーを設けて、いつでも校正画面へ戻ることができる。また、「コピー」キーを設けて、必要に応じて表示画面のハードコピーをハードコピープリンタ１５でとることができるようにする。
【００２９】
トレンドグラフ画面で表示されるグラフ内容は、グラフ表示を行う対象計測器の計測項目名と計測値（デジタル表示）およびグラフからなる。
【００３０】
計測値は画面上部の枠内に数値表示される。また、グラフは横軸が時間（分表示）、縦軸が計測値であり、縦軸の計測範囲は、ゼロ・スパン校正時に、ゼロ点およびスパン値付近で値を確認しながら調整できるようにゼロ・スパン値を超えて目盛りづけをする。
【００３１】
実施例１
実施例１は、校正画面から校正対象計測器毎のトレンドグラフ画面を表示するものであり、その画面間の切り換えは図１に示すように行う。
【００３２】
＊「校正画面」は、従来画面にトレンドグラフ選択キーを設けたもの。（複数画面有り。）
＊矢印（→）方向への画面切り換え：
［校正画面］内で項目選択することにより、目的とする画面表示が可能となる。
【００３３】
＊矢印（←）方向への画面切り換え：
各トレンドグラフ画面で「校正画面」を選択することにより、元の「校正画面」へ戻ることが可能となる。
【００３４】
実施例１での、「濁度」トレンドグラフ画面、「色度」トレンドグラフ画面、「ｐＨ」トレンドグラフ画面、「導電率」トレンドグラフ画面、「残塩」トレンドグラフ画面、「水圧」トレンドグラフ画面、「水温」トレンドグラフ画面を各々図３〜図９に示す。
【００３５】
これらの各画面に於いて、従来の技術に記載した表１の水質項目の計器校正方法を各項目について実施する。
【００３６】
一例として、図３の「濁度」トレンドグラフ画面により濁度の標準液校正時の動作を説明（水質は概略変化を示す）する。
【００３７】
図３のグラフで、（Ａ）点までは試料水測定を行う（行わない場合もある）。その後は図１５のスパン校正フローに基づいて実施する。
【００３８】
先ずステップＳ１で配水モニタの水質計器の検出器１１ａへの濁度標準液（例えば４度）の通水準備を行う。Ｓ２で準備が完了すると、画面Ａ点より濁度標準液の通水が開始（Ｓ３）される。検出器１１ａは、この標準液の水質（濁度）を検出し、画面上にその検出値を時々刻々表示し、この表示はＢ点（Ｓ４）になると安定する。安定した計測指示値が濁度標準液濃度である４．００度と一致しているか否かを判断（Ｓ５）し、ズレがある場合にはＳ６において校正者は画面を目視しながら変換器１１ｂのスパン調整ボリュームを回して指示値の調整を行う。
【００３９】
すなわち、Ｓ４，Ｓ５の判断を画面上で実施できるため校正操作の個人差を排除することができる。
【００４０】
また計測値だけで安定点を判断しようとすると、この計測値を校正者が継続して目視し確認する必要がある。しかしながら、「濁度」トレンドグラフ画面で計測値を確認しながら、他の計測器の校正準備等のメンテナンス作業を並行して行えるため、作業効率が上がる。
【００４１】
他の水質項目も上記「濁度」の場合と同様に行う。
【００４２】
実施例２
実施例２は、トレンドグラフ画面に複数のグラフ表示するもので、その画面間の切り換えは図９に示すように行う。
【００４３】
実施例２での、「濁色度」トレンドグラフ画面、「ｐＨ、導電率、残塩」トレンドグラフ画面、「水温、水圧」トレンドグラフ画面を各々図１０〜図１２に示す。
【００４４】
これらの各画面に於いて、実施例１と同様な操作を実行する。
【００４５】
【発明の効果】
本発明は、上述のとおり構成されているので、次に記載する効果を奏する。
【００４６】
（１）．校正画面中に校正対象とする計測器の計測値トレンドグラフ画面を切り換え表示させるキーを設けて画面表示できるものとすることにより、計測器校正の際の必要時にのみ表示させることができ、計測器の校正操作中でも、他の画面表示が可能である。このため、従来のグラフィック操作パネルとなんら差のない操作ができる。
【００４７】
（２）．上記（１）により、計測値トレンドグラフ画面を表示すれば、そのグラフにより校正状態で計測値が安定したかどうか即座に判断できるため、校正者が他の作業を中断して計測値を継続して確認する必要がない。
【００４８】
（３）．上記（２）により、校正者が他の計測器の校正準備や水質データの閲覧や設定値確認・修正および画面上からの機器の運転・停止命令によりメンテナンス作業を並行して行えるため、作業効率があがる。その結果、従来のメンテナンス作業で必要であった校正者の数を減らせる可能性もある。
【００４９】
（４）．上記（２）により、校正者が計測値トレンドグラフ画面により校正状態での計測値の安定点を確実に、かつ、個人差なく確認・判断できるため、校正操作の個人差を排除することができる。
【００５０】
（５）．校正時に異常がある場合、その状態がトレンドグラフ画面にもグラフ表示されるので、現場での対応が困難な場合には、グラフをハードコピーにとって持ち帰って、検討・対策が可能となる。
【００５１】
（６）．トレンドグラフ画面は、計測器別の単独表示と複数の計測器毎の組み合わせ表示による方法があり、メンテナンス内容・手順等によって、より作業効率のよい方法を予め決めて採用することができる。
【図面の簡単な説明】
【図１】配水モニタのシステム構成を示すブロック図。
【図２】実施例１における画面間切り換えの説明図。
【図３】実施例１の「濁度」トレンドグラフ画面を示す図。
【図４】実施例１の「色度」トレンドグラフ画面を示す図。
【図５】実施例１の「ｐＨ」トレンドグラフ画面を示す図。
【図６】実施例１の「導電率」トレンドグラフ画面を示す図。
【図７】実施例１の「残塩」トレンドグラフ画面を示す図。
【図８】実施例１の「水圧」トレンドグラフ画面を示す図。
【図９】実施例１の「水温」トレンドグラフ画面を示す図。
【図１０】実施例２における画面間の切り換え説明図。
【図１１】実施例２の「濁度色度」トレンドグラフ画面を示す図。
【図１２】実施例２の「ｐＨ，導電率，残塩」トレンドグラフ画面を示す図。
【図１３】実施例２の「水温，水圧」トレンドグラフ画面を示す図。
【図１４】水質管理システム構成を示すブロック図。
【図１５】濁度スペン校正フロー図。
【符号の説明】
１…配水モニタ（局）
２…中央監視室
１１…水質測定部
１１ａ…水質計測器検出器
１１ｂ…水質計測器変換器（スパン調整器）
１１ｃ…制御弁・ファン・除湿器・流量計・ヒータ・ポンプ等の機器
１２…コントロールユニット部
１２ａ…シーケンサ
１３…データ伝送部
１３ａ…データ伝送モデム
１４…グラフィック操作パネル
１５…ハードコピープリンタ
【図１】
0003551514.tif 000003
【図２】
0003551514.tif 000004
【図３】
0003551514.tif 000005
【図４】
0003551514.tif 000006
【図５】
0003551514.tif 000007
【図６】
0003551514.tif 000008
【図７】
0003551514.tif 000009
【図８】
0003551514.tif 000010
【図９】
0003551514.tif 000011
【図１０】
0003551514.tif 000012
【図１１】
0003551514.tif 000013
【図１２】
0003551514.tif 000014
【図１３】
0003551514.tif 000015
【図１４】
0003551514.tif 000016
【図１５】
0003551514.tif 000017